(57)【要約】      （修正有）【課題】自転車設置チャイルドシート着座者用合羽状雨具を提供する。【解決手段】自転車等設置チャイルドシートにおける着座者が着衣できる合羽状体本体と保護カバーとをそれぞれ専用に両者を一体に設け、チャイルドシートに備え付けることができ、チャイルドシートの保護カバーとして使用できるとともに、着座者の合羽としても使用できる。【選択図】図２
0003143852.tif 000002
【実用新案登録請求の範囲】
【請求項１】
自転車等の乗者が露出するタイプの乗物のハンドルより前側に設置されたチャイルドシートにおける着座者がその頭部から被りその首部以下及び該チャイルドシートをスカート状部で覆い、かつその頭部を透視可能シート付きフードで覆うことができるシートにより形成された合羽状体であって、該合羽状体はそのスカート状部の前端部が筒状部に形成されて上記チャイルドシートの前端部にその開口部があるときは閉塞するように着脱自在に嵌合されかつ該筒状部が上記自転車等の乗物の車体に連結体により係止・脱離自在に連結されて固定され、そのスカート状部の後端部が上記自転車等の乗物のハンドルの全部又は一部を上側から覆いかつ該ハンドルに係止・脱離自在に形成されている合羽状体本体と、上記チャイルドシートに着座者を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の留め具により後戻り止めをして固定し、上記筒状部を上記チャイルドシートの前端部に嵌合し固定したまま上記合羽状体本体を着衣し上記ハンドルに係止する第一の使用形態と、上記合羽状体本体は前端側に丸め込んで上記チャイルドシート内に収容するとともに上記保護カバーを該チャイルドシートの上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めをして固定し、上記チャイルドシートの後側を開放する第三の使用形態を有する自転車等乗物設置チャイルドシート着座者用合羽状体である自転車等乗物乗者用合羽状体。
【請求項２】
自転車等の乗者が露出するタイプの乗物のハンドルより前側に設置された荷物入れ体及び運転者の首部以下をスカート状部で覆い、かつその頭部を透視可能シート付きフードで覆うことができるシートにより形成された合羽状体であって、該合羽状体はそのスカート状部の前端部が筒状に形成されて上記荷物入れ体の前端部にその開口部があるときは閉塞するように着脱自在に嵌合されかつ該筒状部が上記自転車等の乗物の車体に連結体により係止・脱離自在に連結されて固定され、そのスカート状部の後端部が上記自転車等の乗物のハンドルの全部又は一部を上側から覆いかつ該ハンドルに係止・脱離自在に形成されている合羽状体本体と、上記荷物入れ体に荷物を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の留め具により後戻り止めをして固定し、上記筒状部を上記荷物入れ体の前端部に嵌合し固定したまま上記合羽状体本体を着衣し上記ハンドルに係止する第一の使用形態と、上記合羽状体本体は前端側に丸め込んで上記荷物入れ体に収容するとともに上記保護カバーを該荷物入れ体の上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めをして固定し、上記荷物入れ体の後側を開放する第三の使用形態を有する自転車等乗物乗者用合羽状体。
【請求項３】
自転車等の乗者が露出するタイプの乗物のハンドルより前側に設置されたチャイルドシートにおける着座者及び運転者がそれぞれの頭部から被りそれぞれの首部以下及び該チャイルドシートをスカート状部で覆い、かつそれぞれの頭部を透視可能シート付きフードで覆うことができるシートにより形成された２人用合羽状体であって、該合羽状体はそのスカート状部の前端部が筒状部に形成されて上記チャイルドシートの前端部にその開口部があるときは閉塞するように着脱自在に嵌合されかつ該筒状部が上記自転車等の乗物の車体に連結体により係止・脱離自在に連結されて固定され、上記着座者と運転者の間のスカート状部が上記自転車等の乗物のハンドルを全部又は一部を上側から覆いかつ該ハンドルに係止・脱離自在に形成され、その係止部と上記運転者との間のスカート状部は一体又は係止・脱離自在の留め具により接合されている合羽状体本体と、上記チャイルドシートに着座者を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の固着具により後戻り止めをして固定し、上記筒状部を上記チャイルドシートの前端部に嵌合し固定したまま上記合羽状体本体を着衣し上記ハンドルに係止する第一の使用形態と、上記合羽状体本体は前端側に丸め込んで上記チャイルドシート内に収容するとともに上記保護カバーを該チャイルドシートの上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めして固定し、上記チャイルドシートの後側を開放する第三の使用形態を有する自転車等乗物乗者用合羽状体。
【請求項４】
筒状部の前端は閉塞されて有底筒状部になっており、保護カバーの先端部は縦断面「つ」の字状に拡大・縮小自在に形成されて、上記ハンドルを包み込むように係止・脱離自在に形成されている請求項１ないし３のいずれかに記載の自転車等乗物乗者用合羽状体。
【請求項５】
保護カバーはハンドルに係止した状態でチャイルドシート又は荷物入れ体の両側部及び底部を締め付けるバンドを有し、該バンド及び保護カバーは係止・脱離自在の留め具を具備し、該バンドの締め付けを該留め具の留着により維持し上記保護カバーの位置づれを防止する請求項１ないし４のいずれかに記載の自転車等乗物乗者用合羽状体。
【考案の詳細な説明】
【技術分野】
【０００１】
本考案は、特にチャイルドシート設置自転車に子供を乗せるときに便利に使用できる合羽状体に関する。
【背景技術】
【０００２】
従来、チャイルドシート設置自転車に子供を乗せる場合に、雨が降ってきたときに、通常の雨合羽を着せてチャイルドシートに座らせるのは、特に走行中では前面からの雨の脚部への侵入を防止できないのみならず、チャイルドシートに雨合羽を常備していたとしても、雨に濡れたものを着用しなければなら場合があることや、その着用には手間取るという不便があった。
下記特許文献１には、チャイルドシートを覆う防雨カバーを設け、チャイルドシートの内部が濡れないようにし、寒冷時にはそのカバーを防寒に用いる自転車用防寒・防雨カバーが記載されている。
また、下記特許文献２には、自転車走行時の運転者の雨合羽状の雨具として使用でき、駐車時に自転車を覆うカバーとしても利用できるカバー兼用雨具が記載されている。
【０００３】
【特許文献１】実用新案登録第３１０９５９６号公報
【特許文献２】実開平７−４３４０１号公報
【考案の開示】
【考案が解決しようとする課題】
【０００４】
上記特許文献１に記載の自転車用防寒・防雨カバーでは、チャイルドシートに雨合羽を雨降りにも濡れないように常備することもできるが、チャイルドシートに着座した子供の特に頭部の雨具としては利用できないのみならず、雨降りにチャイルドシートを覆う防雨カバーとして使用するとその防寒・防雨カバーは濡れるので、子供に当てがうと不快感を示すという課題がある。
また、上記特許文献２に記載のカバー兼用雨具では、これも雨降りにカバーとして使用したものを雨具として使用するには、濡れた雨具を使用する不快感を禁じえない場合があるという課題がある。
【課題を解決するための手段】
【０００５】
本考案者は、上記課題を解決するために鋭意研究した結果、合羽状雨具とチャイルドシート等の保護カバーをそれぞれを専用に両者を一体にして設けることにより、チャイルドシート等に備付けにできて使用の操作も簡単であり、しかも雨降りにも着用する雨具の部分が濡れないように保管でき、チャイルドシートの保護カバーとしての使用と、雨具としての快適な使用の両方の使用を効果的に行える自転車等乗物乗車者用合羽状体を考えつき、本考案をするに至った。
したがって、本考案は、（１）、自転車等の乗者が露出するタイプの乗物のハンドルより前側に設置されたチャイルドシートにおける着座者がその頭部から被りその首部以下及び該チャイルドシートをスカート状部で覆い、かつその頭部を透視可能シート付きフードで覆うことができるシートにより形成された合羽状体であって、該合羽状体はそのスカート状部の前端部が筒状部に形成されて上記チャイルドシートの前端部にその開口部があるときは閉塞するように着脱自在に嵌合されかつ該筒状部が上記自転車等の乗物の車体に連結体により係止・脱離自在に連結されて固定され、そのスカート状部の後端部が上記自転車等の乗物のハンドルの全部又は一部を上側から覆いかつ該ハンドルに係止・脱離自在に形成されている合羽状体本体と、上記チャイルドシートに着座者を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の留め具により後戻り止めをして固定し、上記筒状部を上記チャイルドシートの前端部に嵌合し固定したまま上記合羽状体本体を着衣し上記ハンドルに係止する第一の使用形態と、上記合羽状体本体は前端側に丸め込んで上記チャイルドシート内に収容するとともに上記保護カバーを該チャイルドシートの上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めをして固定し、上記チャイルドシートの後側を開放する第三の使用形態を有する自転車等乗物設置チャイルドシート着座者用合羽状体である自転車等乗物乗者用合羽状体を提供するものである。
また、本考案は、（２）、自転車等の乗者が露出するタイプの乗物のハンドルより前側に設置された荷物入れ体及び運転者の首部以下をスカート状部で覆い、かつその頭部を透視可能シート付きフードで覆うことができるシートにより形成された合羽状体であって、該合羽状体はそのスカート状部の前端部が筒状に形成されて上記荷物入れ体の前端部にその開口部があるときは閉塞するように着脱自在に嵌合されかつ該筒状部が上記自転車等の乗物の車体に連結体により係止・脱離自在に連結されて固定され、そのスカート状部の後端部が上記自転車等の乗物のハンドルの全部又は一部を上側から覆いかつ該ハンドルに係止・脱離自在に形成されている合羽状体本体と、上記荷物入れ体に荷物を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の留め具により後戻り止めをして固定し、上記筒状部を上記荷物入れ体の前端部に嵌合し固定したまま上記合羽状体本体を着衣し上記ハンドルに係止する第一の使用形態と、上記合羽状体本体は前端側に丸め込んで上記荷物入れ体に収容するとともに上記保護カバーを該荷物入れ体の上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めをして固定し、上記荷物入れ体の後側を開放する第三の使用形態を有する自転車等乗物乗者用合羽状体、（３）、自転車等の乗者が露出するタイプの乗物のハンドルより前側に設置されたチャイルドシートにおける着座者及び運転者がそれぞれの頭部から被りそれぞれの首部以下及び該チャイルドシートをスカート状部で覆い、かつそれぞれの頭部を透視可能シート付きフードで覆うことができるシートにより形成された２人用合羽状体であって、該合羽状体はそのスカート状部の前端部が筒状部に形成されて上記チャイルドシートの前端部にその開口部があるときは閉塞するように着脱自在に嵌合されかつ該筒状部が上記自転車等の乗物の車体に連結体により係止・脱離自在に連結されて固定され、上記着座者と運転者の間のスカート状部が上記自転車等の乗物のハンドルを全部又は一部を上側から覆いかつ該ハンドルに係止・脱離自在に形成され、その係止部と上記運転者との間のスカート状部は一体又は係止・脱離自在の留め具により接合されている合羽状体本体と、上記チャイルドシートに着座者を出し入れする空間を設けられる位置に対応する上記筒状部の上面若しくはその延長上にシートの一端が固着され、その他端の先端部が上記ハンドルに係止・脱離自在に形成されている保護カバーを有し、該保護カバーは上記ハンドルから外して上記一端の基端側に丸め込んで係止・脱離自在の固着具により後戻り止めをして固定し、上記筒状部を上記チャイルドシートの前端部に嵌合し固定したまま上記合羽状体本体を着衣し上記ハンドルに係止する第一の使用形態と、上記合羽状体本体は前端側に丸め込んで上記チャイルドシート内に収容するとともに上記保護カバーを該チャイルドシートの上から覆って上記ハンドルに係止する第二の使用形態と、該保護カバーを該ハンドルから外して基端側に丸め込みかつその上に上記合羽状体本体を前端側に丸め込んで被せ、係止・脱離自在の留め具により後戻り止めして固定し、上記チャイルドシートの後側を開放する第三の使用形態を有する自転車等乗物乗者用合羽状体、（４）、筒状部の前端は閉塞されて有底筒状部になっており、保護カバーの先端部は縦断面「つ」の字状に拡大・縮小自在に形成されて、上記ハンドルを包み込むように係止・脱離自在に形成されている上記（１）ないし（３）のいずれかの自転車等乗物乗者用合羽状体、（５）、保護カバーはハンドルに係止した状態でチャイルドシート又は荷物入れ体の両側部及び底部を締め付けるバンドを有し、該バンド及び保護カバーは係止・脱離自在の留め具を具備し、該バンドの締め付けを該留め具の留着により維持し上記保護カバーの位置づれを防止する上記（１）ないし（４）のいずれかの自転車等乗物乗者用合羽状体を提供するものである。
【考案の効果】
【０００６】
本考案によれば、合羽状体本体とチャイルドシート等の保護カバーのそれぞれを専用に両者を一体に設けた簡単な構造であるので、チャイルドシート等にコンパクトに備付けにできてチャイルドシートの前端下端が開口している場合には風除けにもでき、使用の操作も簡単である。
また、保護カバーにより雨降り等にも、雨具にもなる合羽状体本体を汚れないように保管でき、雨降り等の臨機に応じて濡れていない雨具として直ちに使用できるとともに、雨、雪等や、塵等のゴミ、さらには直射日光からチャイルドシート等を保護することができ、雨等が降っていてもチャイルドシート等の内部は汚れていないのでその掃除をすることなくその内部を直ちに快適に使用でき、その他防寒、避暑用等としても使用でき、嵩張らない簡潔な形状にできる保護カバーとしての使用と雨具等としての快適な使用の両方の使用を効果的に行える自転車等乗物乗者用合羽状体を提供することができる。
【考案を実施するための最良の形態】
【０００７】
詳細は以下の実施例で説明するが、本考案は、以下の実施例に示したものと類似のものも含む。
【実施例１】
【０００８】
次に図面に基づいて本考案の実施例を説明する。
図１に示すように、１は自転車の車体（自転車等の乗物にはバイク、スクータ、三輪車等の二・三輪車、水上乗物、遊園地の乗物等の乗者（乗車者、乗船者等）が露出するタイプの乗物が含まれる）、２、２はハンドル、２ａ、２ａは握持部、３はチャイルドシート、３ａはチャイルドシートの前端部、３ｂは開閉自在に回動自在の足持たれ板兼用底板、３ｃは手持たれバーである。
図２に示すように、合羽状体４は、合羽状体本体５と保護カバー６とからなる。
合羽状体本体５は、図１のチャイルドシート３に着座した着座者（子供）がその頭部から被りその首部以下及び該チャイルドシート３をスカート状部（マント状部、逆さロート状部、ラッパ状部）５ａで覆い、かつその頭部をプラスチック製の透視可能シート５ｂ付きフード５ｃで覆うことができるようにシート（プラスチックシート、ゴムシート、布、不織布やこれらの少なく２つの複合シート、中空の二重構造シート等の防水性シート又は防水処理したシート、但し避暑用に日傘の代わりに使用する場合はこれに限らない。）により形成されている。
図２〜５に示すように、そのスカート状部５ａの前端部が有底筒状部（一端の先端を閉塞し他端を開放した筒状部）５ｄに形成されて上記チャイルドシート３の前端部３ａに着脱自在に嵌合され、面ファスナーの各部材（例えば多数の可撓性鉤片を植設した布と、その鉤片が係合するリング状等片を多数植設した布）を両端に取り付けた連結体としてのバンド５ｅ、５ｅが有底筒状部５ｄの後側寄りのスカート状部５ａの両側に取り付けられ（有底筒状部５ｄの両側でもよい）、図３に示すようにこれらのバンドは図１の車体１にくぐらせて面ファスナーの各部材を接合することにより、有底筒状部５ｄは固定され、抜け防止される。なお、面ファスナーはフック、フックとリング、ホック、紐を縛りつける、その他でもよく、バンドはゴム状に伸縮するものでもよく、その他でもよい。
スカート状部５ａの後端部両側には係止用スリット５ｆ、５ｆが設けられ、係止用スリット５ｆ、５ｆは図１のハンドル２、２が挿入されて係止され、その離脱もできて係止・離脱自在であるが、図３に示すように、ハンドルの握持部２ａ、２ａは露出されるがそのほかのハンドル２、２はスカート状部５ａの後端部で覆われる。
なお、図６に示すように、上記スリットの代わりに、裏面側にゴム環５ｆ’、５ｆ’を取付け、ゴム環５ｆ’、５ｆ’にハンドル２、２を挿入して係止し、その離脱もできて係止・離脱自在にするようにしてもよい。この場合はハンドルの握持部２ａ、２ａも露出してもよいが、露出させずにスカート状部５ａの後端部で覆うようにしてもよい。そのほかフック、フックとリング、ホック、紐を縛りつける、その他でもよい。
【０００９】
図２に示すように、保護カバー６は、上記有底筒状部５ｄの上面に連続するスカート状部５ａのその後側寄りの上面（スカート状部４ａの前端部上面、有底筒状部５ｂの上面でもよい）（図１の手持たれバー３ｃに対応する位置付近）及び両側面上部（後述する切り込み５ｇ、５ｇの上端より上部）に、細長シート（前述の種類のシート）の一端が固着（縫着）され、その他端の先端部が縦断面「つ」の字状部に形成され、その下方開放部の先端縁部はゴムを縫い付けることにより伸縮自在部６ａが形成され、その先端部は拡大・縮小自在部６ｂに形成されて、図４に示すように、上記ハンドル２、２を包み込むように係止・脱離自在（係止することができ、その係止を解く脱離を行うことが自在にできる）に形成されている。なお、その係止・脱離はフック、フックとリング、ホック、紐を縛りつける、その他であってもよい。
図２に示すように、スカート状部５ａには保護カバー６が固着された位置の両側下側に切り込み５ｇ、５ｇが設けられ、有底筒状部５ｂより後側の着衣したスカート状部５ａが着衣者の動作等によっても自由に変形し、追従し易くなっている。
図２に示すように、７、７は保護カバー６の裏面に取り付けられたバンドであり、その先端に面ファスナーの一方の部材７ａ、７ａが取り付けられ、スカート状部５ａの前端部に面ファスナーの他方の部材７ｂ、７ｂが取付けられており、図３に示すように、保護カバー６を丸め込んでバンド７、７で締めつけるように面ファスナーの各部材を接合することにより、丸め込まれた保護カバー６は後戻りすることを阻止されて固定される。
また、８、８はスカート状部５ａの前側裏面に取り付けられたバンドであり、その先端に面ファスナーの一方の部材８ａ、８ａが取付けられ、その他方の部材は上記他方の部材７ｂ、７ｂを代用するが、別に設けてもよい。図５に示すように、保護カバー６を丸め込み、その上に透視可能シート５ｂ付きフード５ｃとともにスカート状部５ａを前端側に丸め込んで被せ、バンド８、８で締めつけるように面ファスナーの各部材８ａ、８ａ、７ｂ、７ｂを接合することにより、丸め込んだ保護カバー６とともに丸め込んだ透視可能シート５ｂ付きフード５ｃ、スカート状部５ａは後戻りすることを阻止されて固定される。
また、９は保護カバー６の一方側面にに取り付けられたバンドであり、このバンドと、保護カバー６の他方側面には係止・脱離自在の面ファスナーの一方部材９ａ、他方部材９ｂが取り付けられており、保護カバー６をハンドルに係止した状態でチャイルドシート又は荷物入れ体の両側部及び底部を締め付け、保護カバー６を固定してその位置づれを防止する。
【００１０】
このようにして自転車設置チャイルドシート着座者用合羽状体が得られるが、合羽状体４を使用するには、図３に示すように、保護カバー６は上記ハンドル２、２から外して固着した側の基端側に丸め込んでバンド７、７で締めつけて後戻り止めをして固定し、有底筒状部５ａをチャイルドシート３の前端部に嵌合し固定したまま（備え付けた状態のまま）、図５のバンド８、８をはずして合羽状体本体５を展開して、すっぽり被って着衣し、上記ハンドル２、２に係止する第一の使用形態がある。
この場合には、すっぽり被るので、脱ぐことともに、簡単であり、突然の雨降り等にも臨機に応じて子供の雨具として使用でき、チャイルドシート３に着座した子供は合羽状体本体５を着衣しているので雨や雪等、場合によっては直射日光から保護されるとともに、透視可能シート５ｂを介して前方を目視することができる。そして、有底筒状部５ａは固定されているが、スカート状部５ａには切り込み５ｇ、５ｇが設けられているので、チャイルドシート３内での子供の動きに追従して後側のスカート状部５ａは変形し、子供の動きを拘束することはないようにできる。このようにして、自転車を走行させても、子供のどのような動作にもかかわらず、子供は雨等に濡れることがなく、場合によっては直射日光を避けることができる。
【００１１】
また、図４に示すように、合羽状体本体５は前端側に丸め込んでチャイルドシート３内に収容するとともに保護カバー６をチャイルドシート３の上から覆って上記ハンドル２、２に係止する第二の使用形態がある。この場合には、チャイルドシート３の内部は雨等や塵等のゴミ、直射日光から保護され、チャイルドシート３に子供を着座させて使用するときに、また、足持たれ板兼用底板３ｂを閉じて底板としたチャイルドシート３を荷物入れ体として使用するときに、雨等に濡れた内部の清掃をしたり、直射日光で暑過ぎる場合に通風により冷やすようなことなく、直ちに使用でき、自転車という機動性の高い乗物に設置したチャイルドシートの実用性を最大限のほどに高めることができる。
また、図５に示すように、保護カバー６をハンドル２、２から外して基端側に丸め込みかつその上に合羽状体本体５を前端側に丸め込んで被せ、後戻り止めをして固定し、チャイルドシート３の後側を開口する第三の使用形態がある。この場合には、雨等が降っていないときは、チャイルドシート３に子供を着座させて使用することができるし、上記したと同様にチャイルドシート３を荷物入れ体として使用してもよい。その際、丸め込んだ合羽状体本体５をチャイルドシート３に収容し、保護カバー６を展開してそのの拡大・縮小自在部６ｂを基端側に多少丸め込んで、チャイルドシート３の後端上縁に引っかけることにより蓋としても利用することができる。また、収容した合羽状体本体５を着座した子供に着衣させたり（フードは被らせても被らせなくてもよい）、膝や足を温めるために利用してもよく、保護カバー６はチャイルドシート３との間に空気層の保温層を設けられるように利用してもよい。
なお、例えば図５等のように合羽状体４はチャイルドシートに備付けにしておくと、足持たれ板兼用底板３ｂを足持たれ板として使用できるようにチャイルドシート前端下端が開口してしてもこれを閉塞でき、風防として使用することができる。
【実施例２】
【００１２】
図７に示すように、１１は２人用合羽状体であり、２人用合羽状体１１は２人用合羽状体本体１２と保護カバー１３とからなる。
２人用合羽状体本体１２は、自転車のハンドルより前側に設置されたチャイルドシート１４における着座者１５及び運転者１６がそれぞれの頭部から被りそれぞれの首部以下及びチャイルドシート１４をスカート状部１２ａで覆い、かつそれぞれの頭部を透視可能シート付きフードで覆うことができるようにシート（前述のもの）により形成されている。  保護カバー１３は図２の保護カバー６と同様の保護カバーである。                    その他の構成は図２の構成と同じにしてもよい。
なお、２人用合羽状体本体１２のハンドルとの係止部と運転者との間のスカート状部１２ａは一体でもよいが、図７に示す接離自在部１７で２分して係止・脱離自在の留め具（例えば面ファスナー、図８に示すファスナー１７ａ等）により接合されていてもよく、一体物の方が図４、５のような使用形態にするには便利であり、他方その接合を解くことにより子供と運転者の別々の雨具として使用でき、運転者の動作の自由度が増して、特に運転中の危険を少なくできる。
このようにして自転車設置チャイルドシート着座者・運転者用合羽状体が得られ、雨具、保護カバーとして使用できるが、雨等や直射日光からサドル等の自転車全体を保護するカバーとしても利用できる。
【実施例３】
【００１３】
図７において、２人用合羽状体本体１２は、子供用雨具部分を平坦シートにしてスカート状部の一部にすれば運転者用合羽状体本体とすることができ、これと保護カバー１２を有する運転者用合羽状体とすることができる。
このようにして自転車運転者用合羽状体が得られ、雨具、保護カバーとして使用できるが、雨等や直射日光からサドル等の自転車全体を保護するカバーとしても利用できる。
【００１４】
上記において、スカート状部の少なくとも一部は伸縮自在のゴム生地を使用したり、蛇腹構造を取り入れてもよい。
人体に関する記述は、例えば「着座者」は「着座者相当体」のように、「相当体」あるいは「相当部」として擬人化してもよい。
【図面の簡単な説明】
【００１５】
【図１】チャイルドシート設置自転車の部分斜視説明図である。
【図２】本考案の一実施例の合羽状体の一部切欠き斜視説明図である。
【図３】その第一の使用形態の斜視概略説明図である。
【図４】その第二の使用形態の斜視概略説明図である。
【図５】その第三の使用形態の斜視概略説明図である。
【図６】本考案の他の実施例の係止する環を示す斜視説明図である。
【図７】本考案のさらに他の実施例の合羽状体の断面概略説明図である。
【図８】その合羽状体を２分したときの接離自在の留め具を示す説明図である。
【符号の説明】
【００１６】
１  自転車の車体
３  チャイルドシート
３ａ  チャイルドシートの前端部
４  合羽状体
５  合羽状体本体
５ａ  スカート状部
５ｂ  透視可能シート
５ｃ  フード  
５ｄ  筒状部
５ｅ  バンド
６  保護カバー
６ｂ  拡大・伸縮自在部
７、８  バンド
７ａ、８ａ  面ファスナーの一方の部材
７ｂ  面ファスナーの他方の部材
１１  ２人用合羽状体
１２  ２人用合羽状体本体
１２ａ  スカート状部
１３  保護カバー
１７  接離自在部
１７ａ  ファスナー
【図１】
0003143852.tif 000003
【図２】
0003143852.tif 000004
【図３】
0003143852.tif 000005
【図４】
0003143852.tif 000006
【図５】
0003143852.tif 000007
【図６】
0003143852.tif 000008
【図７】
0003143852.tif 000009
【図８】
0003143852.tif 000010